(57)【特許請求の範囲】
【請求項１】
コネクタ組立体（１）であって、
長手方向に前端（１００）と後端（１０２）との間を延伸し、前記後端は、ケーブル（２１）を受容する開口（１０４）を備える外部ハウジング（３１）と、
前記外部ハウジング内に配置され、電磁干渉の放出を制限するために前記ケーブルに電気的に連結されるシールド（２３，２４）を含む内部ハウジング（２２）と、
前記外部ハウジングの前記後端において、長手方向に延伸し前記ケーブルと係合するように構成される複数の指状部（４３５）を含み、前記ケーブルを囲んで配置されるコレット（４）と、
前記外部ハウジング後端に固定され、前記外部ハウジングとの間に前記コレットを固定するリテーナ（５）と、を備え、
前記リテーナおよび前記コレットは、前記ケーブルにかかった張力を前記シールドと前記ケーブルとの境界面から離れるように向け、
前記リテーナは、前記リテーナの内面（５２１）に沿って配置された長手方向に延伸する複数のリブ（５２４）を含み、
前記リブは、前記コレットの前記指状部と係合し、ねじれ応力が前記ケーブルにかけられても、前記指状部の回転移動を防止することを特徴とするコネクタ組立体。
【請求項２】
前記コレットの前記指状部は、前記コレットを前記ケーブルに係合して固定する鋸歯状縁部（４３８）を含むことを特徴とする請求項１記載のコネクタ組立体。
【請求項３】
前記外部ハウジングと前記コレットとの間であって、前記外部ハウジングの前記後端に配置されたケーブルシール（４２）を含み、
前記ケーブルシールは、前記コレットによって押し込まれ、前記外部ハウジングの前記後端をシールすることを特徴とする請求項１記載のコネクタ組立体。
【請求項４】
前記ケーブルシールは、前記ケーブルを受容するよう貫通するケーブル用開口（３１４）と内側方向に延伸するポスト用開口（３１６）を備えるエラストマー製ボディ（３０８）と、
前記コレットは、前側に突出し、前記ケーブルシールの前記ポスト用開口内に受容されるポスト（４３４）を含むことを特徴とする請求項３記載のコネクタ組立体。
【請求項５】
前記ケーブルが前記複数の指状部間の前記コレットに挿入される際に、前記複数の指状部は、外側に撓むことを特徴とする請求項１記載のコネクタ組立体。
【請求項６】
前記リテーナは、前記リテーナが前記コレットに組み付けられる際に、前記コレットの前記指状部を前記ケーブルに押し込む内面を含むことを特徴とする請求項１記載のコネクタ組立体。
【請求項７】
前記コレットは、前記ケーブルを受容する大きさとされた貫通する開口を備えた平面状ボディ（４３）を含むことを特徴とする請求項１記載のコネクタ組立体。
【請求項８】
前記外部ハウジングの前記後端に配置されたケーブルシール（４２）をさらに含み、
前記コレットは、前記平面状ボディの片側から突出し、前記ケーブルと係合する指状部（４３５）と、
前記平面上ボディの反対側から突出し、前記ケーブルシールと係合するポスト（４３４）とを含むことを特徴とする請求項７記載のコネクタ組立体。
【発明の詳細な説明】
【技術分野】
【０００１】
本発明は、シールドコネクタに関し、特には、高電圧アプリケーションで用いられる張力逃し機構（ストレインリリーフ：strain relief）を備えるシールドコネクタに関する。
【背景技術】
【０００２】
燃料コストの増加および環境汚染削減の努力の増加によって、自動車産業は電気自動車およびハイブリッド電気自動車（ＨＥＶ）の方向へ向かっている。これら乗り物における１つの設計面として、比較的高作動電圧のための考慮や要求がある。その結果として、高作動電圧を許容するように、そのようないくつかの公知の乗り物の具体的部品は設計されている。
【０００３】
いくつかの現在の自動車産業アプリケーションにおいて、金属モジュールに実装された高電圧プラグコネクタおよびヘッダコネクタ間を安定的に、機械的にシールされ、かつ、電気的な接続を与えるために、高電圧シールドコネクタが用いられる。高電圧電流を供給する入力多芯ケーブルの網状ケーブルシールドからプラグコネクタのシールドに強力なシールド連続性を与えるコネクタが必要となる場合がある。例えば、電磁干渉をシールドするためにコネクタ内の入力ケーブルとシールド間の連続的な導電路を確保するコネクタが必要となる場合がある。
【発明の概要】
【発明が解決しようとする課題】
【０００４】
公知のコネクタの１つの問題は、ケーブルが堅く、張力の、曲げの、ねじりの張力の多くが、網状ケーブルシールドとプラグシールド要素間の電気的接続へ伝わってしまうことである。例えば、コネクタ外側のケーブル移動は、ケーブルと１つ以上のコネクタ部品間の境界面に大きな張力を与える。張力によって、境界面でケーブルがコネクタ部品から分離してしまい、それゆえに、コネクタの機械的性能および電気的性能が危うくなる場合がある。
【課題を解決するための手段】
【０００５】
課題を解決するための手段は、以下記載されるように、外部ハウジング、内部ハウジング、コレット（collet）およびリテーナを含むコネクタ組立体によって与えられる。前記外部ハウジングは、長手方向に前端と後端の間を延伸する。前記後端は、ケーブルを受容する開口を備える。前記内部ハウジングは、前記外部ハウジング内に配置され、電磁干渉の放出を制限するために前記ケーブルに電気的に連結されるシールドを含む。前記コレットは、前記外部ハウジングの前記後端において前記ケーブルを囲んで配置される。前記コレットは、長手方向に延伸し、前記ケーブルと係合するように構成される指状部を含む。前記リテーナは、前記外部ハウジング後端に固定され、前記外部ハウジングと前記リテーナ間に前記コレットを固定する。前記リテーナおよび前記コレットは、前記ケーブルにかかった張力を前記シールドと前記ケーブルとの境界面から離れるように向ける。
【図面の簡単な説明】
【０００６】
【図１】図１は、本発明の一実施形態におけるコネクタ組立体を前から見た斜視図である。
【図２】図２は、図１に示されたコネクタ組立体を後ろから見た斜視図である。
【図３】図３は、図１に示されたコネクタ組立体の部分組立体の分解図である。
【図４】図４は、図１に示されたコネクタ組立体の分解図である。
【図５】図５は、本発明の一実施形態における図１に示されたコネクタ組立体用のコレットを前から見た斜視図である。
【図６】図６は、図５に示されたコレットを後ろから見た斜視図である。
【図７】図７は、本発明の一実施形態における図１に示されたコネクタ組立体用のリテーナを後ろから見た斜視図である。
【図８】図８は、図７に示されたリテーナを前から見た斜視図である。
【図９】図９は、本発明の一実施形態における図１に示されたコネクタ組立体の組立順序の第一段階の斜視図である。
【図１０】図１０は、図９に示されたコネクタ組立体の組立順序の第一段階の断面図である。
【図１１】図１１は、本発明の一実施形態における図１に示されたコネクタ組立体の組立順序の第二段階の斜視図である。
【図１２】図１２は、図１１に示されたコネクタ組立体の組立順序の第二段階の断面図である。
【図１３】図１３は、本発明の一実施形態における図１に示されたコネクタ組立体の組立順序の第三段階の斜視図である。
【図１４】図１４は、図１３に示されたコネクタ組立体の組立順序の第三段階の断面図である。
【発明を実施するための形態】
【０００７】
本発明は、以下添付の図面を参照して例示的に説明される。
【０００８】
図１は、本発明の一実施形態におけるシールドコネクタ組立体を前から見た斜視図である。図２は、図１に示されたコネクタ組立体を後ろから見た斜視図である。図３は、図１に示されたコネクタ組立体の部分組立体の分解斜視図である。コネクタ組立体１は、同時係属の米国特許出願番号１２／５３９，２６１号明細書（出願日：２００９年８月１１日、発明の名称：「二段階ラッチを備えるコネクタ組立体」）に開示されたヘッダコネクタ部分組立体のようなヘッダコネクタと嵌合してもよい。米国特許出願番号１２／５３９，２６１号明細書の全内容は、本明細書で参照され、援用される。前記コネクタ組立体１および前記ヘッダコネクタは、互いの間の電力伝送のために互いに嵌合する。コネクタ組立体１は、高電圧コネクタ組立体であってもよい。例えば、コネクタ組立体１は、ヘッダコネクタ組立体に約６００ボルトまでの電圧で電流を流すことが可能である。コネクタ組立体１は、少なくとも４２ボルトの電圧で電流を流す。別の実施形態では、コネクタ組立体１は、電流をより低い電圧で流す組立体であってもよい。コネクタ組立体１は、自動車用コネクタ組立体であってもよい。例えば、コネクタ組立体１は、電流を自動車内の２つ以上の電気装置またはモジュール間に電流を流すために用いられてもよい。ヘッダコネクタは、自動車の高電圧アプリケーションで金属モジュール（図示せず）のようなモジュールに実装されてもよい。
【０００９】
コネクタ組立体１は、内部部分組立体２、外部部分組立体３、スペーサ４１（図３参照）、ケーブルシール４２（図３参照）、コレット４（図３参照）およびリテーナ５を含む。外部部分組立体３は、図３に示されるように、前端１００と後端１０２との間に長手方向に延伸する。前端１００は、ヘッダコネクタ（図示せず）のような相手コネクタと嵌合する。後端１０２は、外部ハウジング部分組立体３を貫通する開口１０４を含む。
【００１０】
スペーサ４１は、外部ハウジング部分組立体３の内部に配置されるボディである。スペーサ４１は、内部ハウジング部分組立体２のシールド２３，２４とケーブルシール４２との間に配置される。スペーサ４１は、互いに逆向きの両面３０２，３０４間に延伸し、互いに逆向きの両面３０２および３０４間を貫通する開口３０６を備える。開口３０６は、内部ハウジング部分組立体２のケーブル２１がスペーサ４１を通過できるように、ケーブル２１を受容する大きさまたは寸法が設定される。スペーサ４１によって、ケーブルシール４２は、外部ハウジング部分組立体３内で、積極的に前進阻止される。例えば、スペーサ４１は、ケーブルシール４２が外部ハウジング組立体３内へ配置可能の深さを制限するために、外部ハウジング組立体３内へ挿入される際に、ケーブルシール４２と係合してもよい。
【００１１】
ケーブルシール４２は、スペーサ４１とコレット４間に配置されたエラストマー製のボディ３０８を含む。ケーブルシール４２は、外部ハウジング部分組立体３の後端１０２を通じて湿気や他の異物が外部ハウジング部分組立体３の内部へ侵入することに対してシールする。ボディ３０８は、互いに逆向きの両面３１０，３１２間に延伸し、互いに逆向きの両面３１０，３１２間を貫通するケーブル用開口３１４を備える。内部ハウジング部分組立体２のケーブル２１は、ケーブル用開口３１４を通じてケーブルシール４２を通過する。一以上のポスト用開口３１６は、ボディ３０８を貫通する。例示される実施形態において、ポスト用開口３１６は、ケーブル用開口３１４の周りに配置される。ポスト用開口３１６の数および／または配置は、図３に示されるものと異なって与えられてもよい。
【００１２】
図４は、図１のコネクタ組立体１の分解図である。内部ハウジング部分組立体２は、内部ハウジング２２、上部シールド２３、下部シールド２４、ケーブル２１、内部フェルール２５、外部フェルール２６を含む。内部ハウジング２２は、シールド２３とシールド２４との間に配置される。内部ハウジング２２は、誘電性材料を含んでも、または誘電性材料から形成されてもよい。例えば、内部ハウジング２２は、１つ以上のポリマーから成形されてもよい。シールド２３，２４は、電磁干渉からコネクタ組立体１の１つ以上の要素をシールドする電磁シールドであってもよい。例えば、シールド２３，２４は、シールド２３，２４の外側へ電磁干渉の放出を制限できる。シールド２３，２４は、シールド２３，２４の外側へ延伸する１つ以上のコンタクトスプリング２３１を含む。例えば、スプリング２３１は、コネクタ組立体１がヘッダコネクタ組立体に挿入される際に、シールド２３，２４方向へ偏倚する片持ち梁であってもよい。一実施形態において、スプリング２３１は、ヘッダコネクタ組立体のシールドなどで、ヘッダコネクタ組立体とシールド２３，２４とが電気的に連結するように、ヘッダコネクタ組立体に係合する。シールド２３，２４は、内部ハウジング２２をほぼ包む電磁シールドを形成するように組み合わせられる。別の実施形態では、シールド２３，２４は、金属または金属合金など導電性材料から形成された単独、単一のボディとして備えられてもよい。内部ハウジング２２は、外部ハウジング部分組立体３内へ内部ハウジング部分組立体２を挿入する前に、上部シールド２３および下部シールド２４を一時的に保持するために、スロット２２２も含む。例えば、シールド２３，２４は、シールド２３，２４を内部ハウジング２２に固定するためにスロット２２２内に受容され、内部に突出する突条（ridge）４０４，４０６を含む。
【００１３】
シールド２３，２４は、シールド２３，２４が内部ハウジング２２に連結されると、開口３００（図３参照）を形成する後部開口４００，４０２（図４参照）を備える。ケーブル２１は、後部開口４００，４０２によって規定された開口３００を通じて挿入される。ケーブル２１は、ケーブル２１を長手方向に貫通する１つ以上の内部心線２００（図２参照）を含む。心線２００は、電力伝送可能な電線であってもよい。例示的な実施形態において、ケーブル２１は、網状ケーブルシールド２７（図２参照）を備えた複数心線型のケーブルである。内部心線２００の各心線は、対応する内部心線２００の端部周辺に圧着された端子２８と接続される。内部ハウジング２２は、端子２８を収容するためのキャビティ２９（図１参照）を含む。キャビティ２９は、コネクタ組立体１が嵌合するヘッダコネクタ（図示しない）のコンタクトまたは端子（図示しない）を受容し、電気的にヘッダコネクタとコネクタ組立体１を連結する。
【００１４】
さらに図４に示されるように、外部ハウジング部分組立体３は、外部ハウジング３１、環状シール３２、環状シールリテーナ３３を含む。外部ハウジング３１は、内部ハウジング部分組立体２を受容するためのほぼ環状のボディを含む。外部ハウジング３１は、外部ハウジング３１の外面に配置された、１つ以上の外方向へ突出するラグ３１１を含む。環状シール３２は、前端１００で、外部ハウジング３１内の開口の外周辺まで伸びる。環状シール３２は、外部ハウジング３１の前端１００と環状シールリテーナ３３との間に圧縮されたエラストマー製ボディであってもよい。環状シールリテーナ３３は、環状シール３２を外部ハウジング３１の前端１００に固定するために、外部ハウジング３１に連結される。環状シール３２は、外部ハウジング３１の内部への湿気や他の異物の侵入を防止できる。
【００１５】
内部フェルール２５および外部フェルール２６は、金属や金属合金などの導電性材料を含む材料、あるいは導電性材料から形成されてもよい。内部フェルール２５は、ケーブル２１が内部フェルール２５を貫通するようにケーブル２１上に配置される。内部フェルール２５は、網状ケーブルシールド２７の露出部４０８上に配置される。外部フェルール２６は、内部フェルール２５上に配置され、後部開口４００，４０２で、またはその近傍でシールド２３，２４に圧着される。内部フェルール２５および外部フェルール２６は、機械的に網状ケーブルシールド２７とシールド２３，２４を連結および固定できる。別の実施形態では、外部フェルール２６および／または内部フェルール２５は、シールド２３，２４と網状ケーブルシールド２７との間の導電路となってもよい。例えば、内部フェルール２５は、網状ケーブルシールド２７と電気的に連結され、外部フェルール２６は、シールド２３，２４と電気的に連結されてもよい。シールド２３，２４がフェルール２５，２６を通じて電気接地基準（electric ground reference）と電気的に連結されることによって、ケーブルシールド２７は、電気接地基準と電気的に連結されてもよい。シールド２３，２４は、この電気接地基準との電気的な連結により、電磁干渉から内部ハウジング２２をシールドすることができる。以下に説明されるように、ケーブル２１を移動させることにより、ケーブルシールド２７と１つ以上のシールド２３，２４の間の接続に張力を与える場合や、および／または、シールド２３，２４を互いに引き離してしまう場合がある。シールド２３，２４からケーブルシールド２７を引き離すような張力を防止するため、および／または、シールド２３，２４を互いから離れるように移動、分離、または損壊してしまうことを防止するために、コレット４は、シールド２３，２４とケーブルシールド２７との連結部の外側でケーブル２１に固定される。
【００１６】
本発明の一実施形態における、図５は、コレット４を前から見た斜視図であり、図６はコレット４を後ろから見た斜視図である。コレット４は、平面状ボディ４３および平面状ボディ４３を貫通する中央開口４３１を含む。ボディ４３の厚さは、ボディ４３の厚さに対して垂直な、少なくとも２つの異なる方向において、ボディ４３の寸法よりもかなり薄いという面において、ボディ４３は平面である。ボディ４３の厚さは、前側面４３２と後側面４３３間の長さである。外部ハウジング部分組立体３（図１参照）へと組み立てられる際に、後側面４３３が外部ハウジング３１の内部とは反対方向に向く一方で、コレット４の前側面４３２は、外部ハウジング３１（図４参照）の内部方向に向く。
【００１７】
ボディ４３は、スペーサ４１（図３参照）、ケーブルシール４２（図３参照）およびリテーナ５（図２参照）と協働できるように大きさや形状が決められている。例えば、ボディ４３は、リテーナ５と外部ハウジング３１間に配置されるだけでなく、外部ハウジング３１（図３参照）内で、スペーサ４１およびケーブルシール４２を取り囲んでもよい。１つ以上のポスト４３４が前側面４３２から突出する。複数のポスト４３４は、コレット４が外部ハウジング３１へ組み立てられる際、前側面４３２から外部ハウジング３１の内面へ向かう前方向に突出する。ポスト４３４は、ケーブルシール４２（図３参照）のポスト用開口３１６（図３参照）の対応ポストに嵌め込まれるように、大きさ、形状、配置が決められる。ポスト４３４は、ケーブルシール４２にコレット４を整列させ、向かせるために、ポスト用開口３１６内へ受容される。さらに、ポスト４３４がポスト用開口３１６内へ受容されることで、コネクタ組立体１が組み立てられる際に、ケーブルシール４２がコレット４によっておよそ等しく圧縮されるように、コレット４をケーブルシール４２に対して配置することが確実となる。別の実施形態では、異なる部品が、ケーブルシール４２に対して、コレット４を整列させ、および／または、向かせるために用いられてもよい。例えば、突起、結合部（nub)、他の突部など、異なる態様の突起がポスト４３４の代わりに、またはポスト４３４と協働するように用いられてもよい。
【００１８】
１つ以上の指状部４３５が後側面４３３から後方向へ突出する。指状部４３５は、開口４３１の周りに配置される。例示的な実施形態において、指状部４３５は、ボディ４３から対応する外端部５００までの長さである柔軟な片持ち梁である。指状部４３５は、互いに向く内側方向と互いに背く外側方向に柔軟である。例えば、コレット４がケーブル２１に取り付けられる際に、ケーブル２１（図３参照）の内部または外部ジャケットに取り付け可能なように、指状部４３５を互いに背く外側方向に柔軟としてもよい。
【００１９】
指状部４３５は、内面４３６（図５参照）および内面４３６と反対側の外面４３７（図６参照）を含む。例示的な実施形態において、内面４３６は、鋸歯状である。例えば、内面４３６は、指状部４３５の長手方向に対して横切る方向に指状部４３５を横切るように突出する鋸歯状または階段状の縁部４３８を含んでもよい。縁部４３８は、ケーブル２１にコレット４を保持するようにケーブル２１に係合する。例えば、縁部４３８は、指状部４３５がケーブル２１へ押し込まれると、ケーブル２１にコレット４を固定するために、ケーブル２１の外部ジャケットすなわち表面に噛み合って係合する複数の歯であってもよい。例示的な実施形態にも示されるように、指状部４３５は、外面４３７に沿って長手方向に延伸して突出するリブ４４０を含む。リブ４４０は、指状部４３５の外面４３７に長手方向に延伸する凹部スロット５０２を規定する。指状部４３５は、指状部４３５の外縁間の間隙（air gap)によって互いから分離されている。指状部４３５は、指状部４３５の外部自由端５００に配置される内側斜面４３９と外側斜面４４１を含む。内側斜面４３９は、ケーブル２１（図２参照）へのコレット４の組み立てを容易にする。外側斜面４４１は、指状部４３５をケーブル２１に押し込むために、リテーナ５（図１参照）に傾斜面５２５（図７参照）の内面８００（図８参照）と協働する。
【００２０】
図７および図８は、本発明の一実施形態におけるリテーナ５の斜視図である。リテーナ５は、前端７００と後端７０２との間に長手方向に延伸し、前端７００と後端７０２との間を貫通する開口７０４を備える。リテーナ５は、押し込み部５２（図７参照）とシュラウド部５３を含む。押し込み部５２は、前端７００と後端７０２との間で、シュラウド部５３を横切る。例示的な実施形態において、押し込み部５２は、後端７０２からシュラウド部５３まで延伸し、シュラウド部５３は、前端７００から押し込み部５２まで延伸する。
【００２１】
押し込み部５２は、内面５２１と内面５２１の反対側の外面５２２（図７参照）と、外面５２２に沿って長手方向に延伸する１つ以上の堅牢なリブ５２３を含む。リブ５２３は、曲げや左右へ撓まないように、押し込み部５２にさらなる強さと堅牢さを与えるための材料を押し込み部５２に付加したものである。１つ以上の安定化リブ５２４は、押し込み部５２の内面５２１に沿って長手方向に延伸する。安定化リブ５２４は、コレット４（図３参照）を安定化するために、コレット４の指状部４３５（図５参照）と係合する。例えば、安定化リブ５２４は、スロット５０２（図５参照）と係合してもよく、および／または指状部４３５の側部に係合するために、間隙５０４（図５参照）内に配置されてもよい。安定化リブ５２４と指状部４３５とが係合することにより、ケーブル２１（図２参照）のコレット４に対しての回転やねじれなどで、ねじり応力がケーブル２１に及んだとしても、指状部４３５の回転または回転移動または撓みを防止できる。
【００２２】
押し込み部５２は、外面５２２および内面８００を備える傾斜面５２５を含む。傾斜面５２５は、ケーブル２１（図２参照）に指状部４３５を押し込む際に、コレット４（図３参照）の指状部４３５（図５参照）の外側斜面４４１と協働する内面８００を含む。例えば、内面８００に沿って前から後ろまで指状部４３５がスライドし、指状部４３５がケーブル２１へ押し込まれるように、内面８００によって内側へ偏倚することで、リテーナ５はコレット４上に配置されてもよい。
【００２３】
リテーナ５のシュラウド部５３は、外部ハウジング組立体３（図１参照）の後端部１０２（図３参照）の後端に配置される。例示的な実施形態において、シュラウド部５３は、シュラウド部５３を貫通する開口７０６を含む。開口部７０６は、外部ハウジング組立体３のラグ３１１（図４参照）を受容して、外部ハウジング組立体３の外部ハウジング３１（図４参照）にリテーナ５を固定する。外部ハウジング３１が一旦固定されると、リテーナ５は、外部ハウジング３１の後端１０２（図３参照）を封止することで、外部ハウジング３１内にコレット４（図３参照）、ケーブルシール４２（図３参照）およびスペーサ４１（図３参照）を取り囲む。
【００２４】
図９から図１４は、本発明の一実施形態のコネクタ組立体１へのコレット４およびリテーナ５の組み立て段階をそれぞれ図示したものである。図９は、コネクタ組立体１へのコレット４およびリテーナの組み立ての第１段階におけるコネクタ組立体１の斜視図である。図１０は、図９に示されるコネクタ組立体１の断面図である。内部部分組立体２は、外部部分組立体３内に配置される。ケーブル２１は、第一段階では、ケーブルシール４２の前側面３１０からケーブルシール４２の開口３１４およびコレット４の前側面４３２からコレット４の中央開口４３１を通じてスライドする。
【００２５】
図１１は、コネクタ組立体１へのコレット４およびリテーナの組み立ての第２段階におけるコネクタ組立体１の斜視図である。図１２は、図１１に示されるコネクタ組立体１の断面図である。第二段階では、コレット４のポスト４３４（図５参照）が、ケーブルシール４２のポストに対応する開口３１６（図３参照）内へコレット４が受容されるまで、コレット４は外部ハウジング部分組立体３へ向かって移動またはスライドする。コレット４のボディ４３は、外部ハウジング部分組立体３の後端１０２と嵌合する。図１２に示されるように、コレット４は、後端１０２と嵌合し、ケーブルシール４２、スペーサ４１、シールド２３，２４（図４参照）、内部ハウジング２２（図４参照）を外部ハウジング部分組立体３内に取り囲む。図１２には図示されていないが、組み立ての第二段階では、コレット４の指状部４３５は、ケーブル２１と互いに背く外側方向に偏倚される。
【００２６】
図１３は、コネクタ組立体１へのコレット４およびリテーナの組み立ての第３段階におけるコネクタ組立体１の斜視図である。図１４は、図１３に示されるコネクタ組立体１の断面図である。コネクタ組立体１の組み立ての第三段階によって、組立体が完成する。第三段階では、リテーナ５は、ケーブル２１とコレット４上をスライドする。リテーナ５がコレット４上をスライドすると、リテーナ５の安定化リブ５２４（図７参照）は、コレット４の指状部４３５上のリブ４４０（図５参照）間に、または、リブ４４０によって規定されたスロット５０２（図５参照）内に配置される。別の実施形態では、安定化リブ５２４は、指状部４３５間の間隙５０４（図５参照）に配置されてもよい。リテーナ５の内面８００がコレット４の指状部４３５に対して拡げるように移動することで、コレット４をケーブル２１が通過することになる。傾斜面５２５は、互いを向く内側方向に指状部４３５を偏倚させるので、指状部４３５をケーブル２１へ押し込むことができる。指状部４３５をケーブル２１へ押し込むと、指状部４３５の鋸歯状の縁部４３８（図６参照）がケーブル２１と係合し、ケーブル２１にコレット４を固定できる。
【００２７】
リテーナ５の開口７０６は、外部ハウジング部分組立体３のラグ３１１を受容し、外部ハウジング部分組立体３の後端１０２にリテーナ５を固定する。リテーナ５は、ケーブル２１を後方にリテーナ５を突貫可能とするが、コレット４、ケーブルシール４２、スペーサ４１、内部ハウジング部分組立体２を外部ハウジング部分組立体３の内部に取り囲む。
【００２８】
一実施形態において、リテーナ５が外部ハウジング部分組立体３へ一旦固定されると、ケーブル２１のコネクタ組立体１に対しての外側への移動によって、ケーブル２１と１つ以上の他のコネクタ組立体１の部品の境界面に張力がかかる場合がある。例えば、ケーブル２１をコネクタ組立体１から外側へ移動させると、ケーブル２１およびケーブル２１が連結された部品の境界面に張力がかかる場合がある。ケーブル２１と内部ハウジング部分組立体２のシールド２３，２４（図４参照）との境界面に張力がかかることないように、コレット４および／またはリテーナ５は、ケーブル２１とシールド２３，２４との境界面から外側に離れる方向へのケーブル２１の移動を制限し、張力を境界面から離れる方向へ向けさせる。例えば、コネクタ組立体１の外側にあるケーブル２１の部分については、コネクタ組立体１に対して移動することができるが、コネクタ組立体１内のケーブル２１であって、リテーナ５の押し込み部５２とシールド２３，２４との境界面部分については、コネクタ組立体１に対しての移動を制限されることになる。結果として、ケーブル２１とコネクタ組立体１の他の要素間の境界面にかけられた張力は、張力がかかってもコネクタ組立体１からのケーブル２１の分離を引き起こさない比較的に堅牢なコレット４および／またはリテーナ５へと向けられるので、内部ハウジング部分組立体３およびシールド２３，２４には影響を与えないことになる。
【符号の説明】
【００２９】
１・・・コネクタ組立体
４・・・コレット
５・・・リテーナ
２１・・・ケーブル
２２・・・内部ハウジング
２３，２４・・・シールド
３１・・・外部ハウジング
４２・・・ケーブルシール
４３・・・平面状ボディ
１００・・・前端
１０２・・・後端
３０８・・・ポスト
３１４・・・ケーブル用開口
４３５・・・指状部
４３８・・・鋸歯状縁部
５２１・・・内面
５２４・・・リブ
【図１】
0005557259.tif 000002
【図２】
0005557259.tif 000003
【図３】
0005557259.tif 000004
【図４】
0005557259.tif 000005
【図５】
0005557259.tif 000006
【図６】
0005557259.tif 000007
【図７】
0005557259.tif 000008
【図８】
0005557259.tif 000009
【図９】
0005557259.tif 000010
【図１０】
0005557259.tif 000011
【図１１】
0005557259.tif 000012
【図１２】
0005557259.tif 000013
【図１３】
0005557259.tif 000014
【図１４】
0005557259.tif 000015